(57)【要約】【課題】アンカーボルトの突出量が足りなくても板状体の固定が行える締結部材および基礎上の柱固定構造を提供する。【解決手段】締結部材１は、基礎５上に配置された柱２における柱脚２１の板状体２１１に形成された挿通孔２１１ａに通されるアンカーボルト３の螺子部３１に締結される。この締結部材１は、上記挿通孔２１１ａ内に入り込む入込部１１と、上記挿通孔２１１ａよりも大きい形状を有し、上記挿通孔２１１ａの外側に位置する鍔状部１２と、締め付け工具が係合する工具係合部１３とを備えており、所要長さの螺子孔１４が上記入込部１１において或いは上記入込部１１と上記鍔状部１２とにおいて形成されている。【選択図】図２
2017222977.tif 000002
【特許請求の範囲】
【請求項１】
板状体に形成された挿通孔に通されるアンカーボルトの螺子部に締結される締結部材であって、上記挿通孔内に入り込む入込部と、上記挿通孔よりも大きい形状を有し、上記挿通孔の外側に位置する鍔状部とを備えており、所要長さの螺子孔が上記入込部において或いは上記入込部と上記鍔状部とにおいて形成されていることを特徴とする締結部材。
【請求項２】
請求項１に記載の締結部材において、上記鍔状部の上記入込部が設けられる側と反対の側に、締め付け工具が係合する工具係合部が形成されていることを特徴とする締結部材。
【請求項３】
請求項２に記載の締結部材において、上記工具係合部には上記アンカーボルトの螺子部が螺合しない挿通部が形成されていることを特徴とする締結部材。
【請求項４】
請求項３に記載の締結部材において、上記挿通部の長さが上記アンカーボルトの螺子部の３山以上に相当することを特徴とする締結部材。
【請求項５】
請求項２〜請求項４のいずれか１項に記載の締結部材において、上記工具係合部も利用して所要長さの螺子孔が形成されていることを特徴とする締結部材。
【請求項６】
請求項１に記載の締結部材において、上記鍔状部が、締め付け工具が係合する工具係合部を兼ねることを特徴とする締結部材。
【請求項７】
基礎上に配置された柱における柱脚の板状体に形成された挿通孔に、アンカーボルトの螺子部が挿通されており、上記螺子部に螺合された請求項１〜請求項６のいずれか１項に記載の締結部材によって、上記柱が上記基礎に固定されたことを特徴とする基礎上の柱固定構造。
【発明の詳細な説明】
【技術分野】
【０００１】
この発明は、板状体に形成された挿通孔に通されるアンカーボルトの螺子部に締結される締結部材およびこの締結部材を用いた基礎上の柱固定構造に関する。
【背景技術】
【０００２】
従来より、基礎上の柱固定においては、図５（Ａ）および図５（Ｂ）に示すように、基礎１０１上にアンカーボルト１０３の螺子部１０３ａが突出しており、この螺子部１０３ａを用いて上記基礎１０１上に配置する柱１０２が固定される。具体的には、上記柱１０２における柱脚１２１の板状体１２１ａに形成された挿通孔１２１ｂに、上記アンカーボルト１０３の螺子部１０３ａが挿通され、上記螺子部１０３ａにナット１０４が螺合されて締め付けられる。なお、特許文献１には、コンクリート打設時にアンカーボルトが所定の位置に容易に埋設固定できるとともに脱枠作業等においても対応が容易に出来るアンカーボルト埋設用部材および埋設固定方法が開示されている。
【０００３】
ところで、上記螺子部１０３ａの上端には、面取り加工によって不完全螺子部が形成されること等により、上記ナット１０４の締結において、上記螺子部１０３ａの上端の３山以上の螺子山が出ることが推奨される。
【先行技術文献】
【特許文献】
【０００４】
【特許文献１】特開２００３−３４３０１７号公報
【発明の概要】
【発明が解決しようとする課題】
【０００５】
しかしながら、上記基礎１０１の作製時の不備等により、上記アンカーボルト１０３の基礎１０１の上面からの突出量が所要量に足りず、上記螺子部１０３ａの上端に３山以上の螺子山が出ないことが生じる場合が在る。このような場合には、アンカーボルト１０３の施工をやり直すことになり、基礎１０１をはつってアンカーボルト１０３を埋め直す施工および養生期間が必要になることから、工期遅れが発生するおそれがあった。
【０００６】
この発明は、上記の事情に鑑み、アンカーボルトの基礎の上面からの突出量が通常のナットにとって足りないこととなるような場合でも板状体の固定が行える締結部材および基礎上の柱固定構造を提供することを目的とする。
【課題を解決するための手段】
【０００７】
この発明の締結部材は、上記の課題を解決するために、板状体に形成された挿通孔に通されるアンカーボルトの螺子部に締結される締結部材であって、上記挿通孔内に入り込む入込部と、上記挿通孔よりも大きい形状を有し、上記挿通孔の外側に位置する鍔状部とを備えており、所要長さの螺子孔が上記入込部において或いは上記入込部と上記鍔状部とにおいて形成されていることを特徴とする。
【０００８】
上記の構成であれば、上記板状体の挿通孔に入り込む入込部を用いて所要長さの螺子孔が確保されるため、このような入り込みの分、螺合領域は上記アンカーボルトの螺子部の先端から離れて位置できる。これにより、上記アンカーボルトの螺子部の突出量が通常のナットにとって足りないこととなるような場合でも、この螺子部の先端側の３山以上の螺子山を上記螺合領域から出して当該締結部材をねじ込むことが可能になる。
【０００９】
上記鍔状部の上記入込部が設けられる側と反対の側に、締め付け工具が係合する工具係合部が形成されていてもよい。これによれば、上記工具係合部として例えば所定の大きさの六角ナット状の外形を待たせ、これまでと同様の締め付け工具を活用して締め付けることが可能になる。
【００１０】
上記工具係合部には、上記アンカーボルトの螺子部が螺合しない挿通部が形成されていてもよい。この構成では、上記工具係合部の挿通部内において、上記アンカーボルトの螺子部の先端側の螺子山を螺合領域から出させる仕様とすることができる。特に、上記挿通部の長さが上記アンカーボルトの螺子部の３山以上に相当すると、上記工具係合部の端面から面一以上となる螺子部の出量で締結合格とするようにできるので、締結合格確認が適切に行えるようになる。
【００１１】
上記工具係合部も利用して所要長さの螺子孔が形成されていてもよい。この構成において、上記工具係合部の全部を利用して上記螺子孔を形成した場合には、当該工具係合部の外側において、上記アンカーボルトの螺子部の先端側の３山以上の螺子山を螺合領域から出させる仕様とすることができる。
【００１２】
上記鍔状部が、締め付け工具が係合する工具係合部を兼ねてもよい。このような構成であると、上記鍔状部に上記工具係合部として所定の大きさの六角ナット状の外形を待たせる場合に、これまでよりも大きな締め付け工具を用いる不利が生じるものの、締結部材の全体厚さをあまり厚くせずに上記鍔状部の厚さを厚くできるという利点が得られる。
【００１３】
また、この発明の基礎上の柱固定構造は、基礎上に配置された柱における柱脚の板状体に形成された挿通孔に、アンカーボルトの螺子部が挿通されており、上記螺子部に螺合された上記の締結部材によって、上記柱が上記基礎に固定されたことを特徴とする。
【００１４】
上記の構成であれば、上記基礎上に配置された柱における柱脚の板状体の挿通孔に入り込む入込部を用いて所要長さの螺子孔が確保されるため、このような入り込みの分、螺合領域は上記アンカーボルトの螺子部の先端から離れて位置できる。これにより、上記アンカーボルトの螺子部の突出量が通常のナットにとって足りないこととなるような場合でも、この螺子部の先端側の３山以上の螺子山を上記螺合領域から出して当該締結部材をねじ込むことが可能になる。よって、上記アンカーボルトの螺子部の上記基礎上からの突出量が足りない場合であっても、上記アンカーボルトの施工のやり直しを回避し、工期遅れを防止することができる。
【発明の効果】
【００１５】
本発明であれば、アンカーボルトの螺子部の突出量が通常のナットにとって足りないこととなるような場合でも、この螺子部の先端側に３山以上の螺子山を出した状態となるように当該締結部材をねじ込むことが可能になる。そして、上記螺子部の基礎上からの突出量が足りない場合であっても、上記アンカーボルトの施工のやり直しを回避し、工期遅れの発生を防止することができるという効果を奏する。
【図面の簡単な説明】
【００１６】
【図１】本発明の実施形態にかかる締結部材を示した図であって、同図（Ａ）は側面図、同図（Ｂ）は平面図である。
【図２】本発明の実施形態にかかる基礎上の柱固定構造を示した説明図である。
【図３】本発明の他の実施形態にかかる締結部材を示した図であって、同図（Ａ）は側面図、同図（Ｂ）は平面図である。
【図４】本発明の他の実施形態にかかる基礎上の柱固定構造を示した説明図である。
【図５】従来の基礎上の柱固定構造を示した図であって、同図（Ａ）は側面図、同図（Ｂ）はＡ−Ａ矢視断面図である。
【発明を実施するための形態】
【００１７】
以下、この発明の実施の形態を添付図面に基づいて説明する。
図１（Ａ）および図１（Ｂ）に示すように、この実施形態にかかる締結部材１は、入込部１１と、鍔状部１２と、工具係合部１３とが一体に形成されて成り、板状体２１１に形成された挿通孔２１１ａに通されるアンカーボルト３の螺子部３１に締結されるものである。上記挿通孔２１１ａは、これまでの通常のナットを用いる場合に比べ、大きな径で形成される。そして、上記締結部材１の中心部には貫通孔部が形成されており、この貫通孔部の一部は、上記螺子部３１に螺合する螺子孔１４となっている。この例では、上記入込部１１の高さ（厚さ）の全部と上記鍔状部１２の高さ（厚さ）の一部または全部とを用いて所要長さの螺子孔１４が形成されている。
【００１８】
上記入込部１１は、上記の大きな径で形成された挿通孔２１１ａ内に入り込む部分であり、当該挿通孔２１１ａよりも小径の円筒形状を有する。また、この入込部１１の高さ（厚さ）は、上記板状体２１１の板厚よりも低く（薄く）されている。一方、上記入込部１１の高さ（厚さ）が低い（薄い）場合、地震時の横揺れ等により、上記入込部１１が上記板状体２１１の上に乗り上げるおそれがある。このため、上記入込部１１の上記挿通孔２１１ａへの入り込みの厚さを、例えば５ｍｍ以上確保し、上記横揺れ等が生じても上記入込部１１が上記板状体２１１の上に乗り上げないようにするのがよい。
【００１９】
上記鍔状部１２は、上記挿通孔２１１ａよりも大径の円形状に形成されており、上記挿通孔２１１ａの外側に位置することができる。また、この鍔状部１２は、上記螺子部３１への締め付けにおいても変形しない程度の十分な厚さを有するものとする。なお、この締結部材１の締結後の戻り回りを防止するために、この鍔状部１２と上記板状体２１１との間にバネ座金４を装着してもよい。
【００２０】
上記工具係合部１３は、上記鍔状部１２の上記入込部１１が設けられる側と反対の側に形成されており、図示しない締め付け工具（ここでは、六角頭用工具とする）が係合する六角形状を有する。また、上記工具係合部１３にも上記貫通孔部が形成されているが、この貫通孔部には上記螺子孔１４は形成されず、挿通部となっている。すなわち、この工具係合部１３の上記挿通部内において、上記アンカーボルト３の螺子部３１の先端側の螺子山が螺合領域から出るようにしている。そして、この実施例においては、上記工具係合部１３の上記挿通部内において、上記アンカーボルト３の螺子部３１の先端側の螺子山を３山以上、螺合領域から出させるようにしている。
【００２１】
図２は、上記締結部材１を用いた基礎上の柱固定構造を示している。基礎５上にアンカーボルト３の螺子部３１が突出しており、この螺子部３１を用いて上記基礎５上に配置する柱２が固定される。具体的には、この基礎上の柱固定構造は、基礎５上に配置された柱２における柱脚２１の板状体（ベース板）２１１に形成された挿通孔２１１ａに、アンカーボルト３の螺子部３１が挿通されており、上記螺子部３１に螺合された上記締結部材１によって、上記柱２が上記基礎５上に固定されている。
【００２２】
上記の締結部材１であれば、上記板状体２１１の挿通孔２１１ａに入り込む入込部１１を用いて所要長さの螺子孔１４が確保されるため、このような入り込みの分、螺合領域は上記アンカーボルト３の螺子部３１の先端から離れて位置できる。これにより、上記アンカーボルト３の螺子部３１の突出量が通常のナットにとって足りないこととなるような場合でも、この螺子部３１の先端側の３山以上の螺子山を上記螺合領域から出して当該締結部材１をねじ込むことが可能になる。
【００２３】
また、上記工具係合部１３が形成されていると、上記工具係合部１３として例えば所定の大きさの六角ナット状の外形を待たせて、これまでと同様の締め付け工具を活用して締め付けることが可能になる。
【００２４】
また、上記工具係合部１３に、上記アンカーボルト３の螺子部３１が螺合しない上記挿通部が形成されていていると、上記工具係合部１３の上記挿通部内において、上記アンカーボルト３の螺子部３１の先端側の螺子山を螺合領域から出させる仕様とすることができる。特に、上記工具係合部１３の上記挿通部の長さが上記アンカーボルト３の螺子部３１の３山以上に相当すると、上記工具係合部１３の端面から面一以上となる螺子部３１の出量で締結合格とするようにできるので、締結合格確認が適切に行えるようになる。
【００２５】
なお、上記工具係合部１３の上記挿通部の長さを上記アンカーボルト３の螺子部３１の略３山に相当させるとした場合において、上記工具係合部１３の厚さが薄くなり過ぎることになると、締め付け工具による締め付けが適切に行えないおそれがある。上記工具係合部１３内にも上記螺子孔１４を延設し、この工具係合部１３の厚さを厚くして上記挿通部の長さを上記アンカーボルト３の螺子部３１の略３山に相当させるようにすれば、締め付け工具による締め付けを適切に行うことができる。上記工具係合部１３内にも上記螺子孔１４を延設する場合、上記入込部１１の厚さを薄くして所要長さの螺子孔１４を形成できる。一方、上記鍔状部１２の中途位置まで上記螺子孔１４が形成され、上記中途位置から上記工具係合部１３の全体において上記挿通部が形成される構成としてもよい。
【００２６】
もちろん、上記工具係合部１３の上記挿通部内において上記アンカーボルト３の螺子部３１の先端側の３山以上の螺子山を螺合領域から出させる仕様とすることに限定されるものではなく、上記工具係合部１３の全体に螺子孔を形成して所要長さの螺子孔１４を得るようにしてもよい。このような構成では、上記工具係合部１３の外側（上側）において、上記アンカーボルト３の螺子部３１の３山以上の螺子山を螺合領域から出させる仕様とすることができる。
【００２７】
次に、他の実施形態について説明していく。図３（Ａ）、図３（Ｂ）および図４に示すように、この実施形態にかかる締結部材１Ａは、入込部１１と鍔状部１２とからなっている。上記入込部１１は、円筒形状を有しており、上述した挿通孔２１１ａ内に入り込む。また、上記鍔状部１２は、上記挿通孔２１１ａよりも大きい形状を有し、上記挿通孔２１１ａの外側（上側）に位置する。そして、この例では、上記鍔状部１２は、締め付け工具が係合する六角形状の工具係合部１３を兼ねている。
【００２８】
上記締結部材１Ａの中心部には貫通孔部が形成されており、この貫通孔部の一部が上記螺子部３１に螺合する螺子孔１４となっている。この例では、上記入込部１１の厚さの全部と上記鍔状部１２の厚さの一部とを用いて所要長さの螺子孔１４が形成されたものとなっている。もちろん、上記入込部１１の厚さの全部と上記鍔状部１２の厚さの全部とを用いて所要長さの螺子孔１４が形成されるようにしてもよい。
【００２９】
上記締結部材１Ａを用いた基礎上の柱固定構造においては、基礎５上にアンカーボルト３の螺子部３１が突出しており、この螺子部３１を用いて上記基礎５上に配置する柱２が固定される。具体的には、この基礎上の柱固定構造は、基礎５上に配置された柱２における柱脚２１の板状体（ベース板）２１１に形成された挿通孔２１１ａに、アンカーボルト３の螺子部３１が挿通されており、上記螺子部３１に螺合された上記締結部材１Ａによって、上記柱２が上記基礎５に固定されている。
【００３０】
上記の構成であれば、上記基礎５上に配置された柱２における柱脚２１の板状体２１１の挿通孔２１１ａに入り込む入込部１１を用いて所要長さの螺子孔１４が確保されるため、このような入り込みの分、螺合領域は上記アンカーボルト３の螺子部３１の先端から離れて位置できる。これにより、上記アンカーボルト３の螺子部３１の突出量が通常のナットにとって足りないこととなるような場合でも、この螺子部３１の先端側の３山以上の螺子山を上記螺合領域から出して当該締結部材１をねじ込むことが可能になる。よって、上記螺子部３１の上記基礎５上からの突出量が足りない場合であっても、上記アンカーボルト３の施工のやり直しを回避し、工期遅れを防止することができる。
【００３１】
また、上記鍔状部１２が、締め付け工具が係合する工具係合部１３を兼ねる構成であると、上記鍔状部１２に上記工具係合部１３として所定の大きさの六角ナット状の外形を待たせる場合に、これまでよりも大きな締め付け工具を用いる不利が生じるものの、締結部材１Ａの全体厚さをあまり厚くせずに上記鍔状部１２の厚さを厚くできるという利点が得られる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１        ：締結部材
１Ａ      ：締結部材
２        ：柱
２１      ：柱脚
２１１    ：板状体
２１１ａ  ：挿通孔
３        ：アンカーボルト
３１      ：螺子部
４        ：バネ座金
５        ：基礎
１１      ：入込部
１２      ：鍔状部
１３      ：工具係合部
１４      ：螺子孔
【図１】
2017222977.tif 000003
【図２】
2017222977.tif 000004
【図３】
2017222977.tif 000005
【図４】
2017222977.tif 000006
【図５】
2017222977.tif 000007